(57)【特許請求の範囲】
【請求項１】
液状内容物が充填された本体容器の上部の口元部に取付けられて、下方に凹ませた液溜凹所が形成された中蓋と、該中蓋の液溜凹所の底部から立ち上がって上方に延設され内部に本体容器内部をその外部に連通する中空通路を有する管状のものであって前記本体容器をスクイズした際に液状内容物を中空通路経由によって先端部から吐出する注出筒と、一端が開口した容器状の膨出部が形成され該膨出部の開口側端を前記中蓋側に向けかつ前記注出筒を内装した状態で前記中蓋を上側から覆って前記中蓋に取付ける上蓋とを有してなる容器用蓋体であって、
液状内容物の注出は、上蓋を中蓋から取り外して前記膨出部の開口側端を上に向けた状態で本体容器をスクイズして前記注出筒から上蓋の膨出部内に一定量の液状内容物を注ぎ出し、その上蓋内に注ぎ出された液状内容物を使用に供するようにした容器用蓋体において、
前記中蓋の液溜凹所内の底部の一部であって、前記注出筒の立ち上がり位置とは別位置に、中蓋の本体容器内部側と外部側とを連通する連通孔を形成すると共に、この連通孔を開閉して、該連通孔を開状態にしたときに前記液溜凹所内に溜まった液状内容物を本体容器内に戻すための弁体を設け、
上蓋の中蓋への取付け側端には、上蓋を中蓋に取付けて覆った状態としたときに、前記弁体を開状態に作動させる突出部を設け、
弁体は中蓋の底部下面の本体容器内部側に前記連通孔を密閉可能に上側に向けて弾性体によって付勢されて設けられていると共に、弁体には前記連通孔を通して底部上面側に延在し前記突出部が当接するための押圧部が形成されたことを特徴と容器用蓋体。
【請求項２】
弁体は弾性体の付勢によって連通孔に下方から開閉可能に密着されており、
前記上蓋の膨出部は、スクイズ時に注出筒から吐出された液状内容物を受けて計量可能に形成され、
前記上蓋の突出部は、前記膨出部の周縁が環状に突出し、上蓋を中蓋に取付けたときに該中蓋の液溜凹所内の底部にまで至り前記弁体を押圧して開状態に作動可能に形成されていることを特徴とする請求項１に記載の容器用蓋体。
【請求項３】
注出筒は、中蓋底部の軸中央部から立ち上がって上方に延びて設けられており、中蓋底部には、その注出筒を取り囲むように注出筒側面と中蓋内壁面との間の位置に本体容器内部側と外部とを連通する連通孔が形成されていることを特徴とする請求項１または２に記載の容器用蓋体。
【請求項４】
中蓋には、底部下方には前記注出筒内の中空通路に連通する筒状部が本体容器内部の底部方向に突出形成されており、弁体はその筒状部基部の外周に設けた弾性体によって、前記連通孔を密閉可能に上側に向けて弾発されていることを特徴とする請求項３に記載の容器用蓋体。
【請求項５】
弁体が環状に形成され、筒状部の外周部に該弁体の同心円状に環状取付け部が設けられ、弁体及び環状取付け部間に弁体を上方に向けて付勢する弾性体が設けられていることを特徴とする請求項３または４に記載の容器用蓋体。
【発明の詳細な説明】
【技術分野】
【０００１】
本発明は、液体洗剤や柔軟剤等の液状内容物を本体容器内に収容した容器製品において、液状内容物が充填された本体容器の上部の口元部に中蓋を取付け、該中蓋の液溜凹所の底部から立ち上がって上方に延設され内部に本体容器内部をその外部に連通する中空通路を有する管状の注出筒と、液状内容物計量用の容器状の膨出部が形成され、前記中蓋を上側から覆って前記中蓋に取付ける上蓋とを有してなる容器用蓋体に関する。
【背景技術】
【０００２】
液状内容物を収容した容器製品には、洗濯槽内の水に対して、衣料用の液体洗剤、柔軟剤等、予め設定された一定の量を使用することが必要なものがある。
【０００３】
この種の液状内容物に使用される容器の蓋部は、液状内容物が充填された本体容器に取付けられた、注出筒を備えた中蓋と、この中蓋を覆うように取付けられる計量機能を有する上蓋とからなっている。
【０００４】
液状内容物の注出は、まず上蓋を取り外し、本体容器を傾けながら注出筒から上蓋内に一定量の内容物を注ぎ出し、上蓋内に計量された液状内容物を洗濯槽内等の使用に供するようにしている。
【０００５】
しかしながら、本体容器を傾けて上蓋内に注ぎ出す計量方式の容器製品では、満注時の操作で持っている本体容器を重たく感じることに加え、少量の計量において操作性が悪く、また、計量時に液垂れが発生する等の問題があった。
【０００６】
これに対して、特公平４-７０９４号公報（特許文献１）では、容器口元の筒体にカップを取付け、筒体には管状で下端にフランジのある剛性のある筒状のノズルを貫通孔から突出させて上方に付勢して取付けており、カップ使用時には、上記フランジよって貫通孔とノズル周囲は閉鎖されている。そして、カップ計量後に前記筒体に該カップを螺着するとカップ内底がノズル先端に当たって、ノズルを押し下げて貫通孔とノズル周囲の隙間が開きこの隙間からカップに残液が容器内に帰還するようにしたものである。
【０００７】
一方、少量の液状内容物を計量する技術として、容器を押圧して内圧を高めて、細い注出筒（注出ノズル）から液状内容物を抽出する構造が考えられるが、スクイズ操作によっては液状内容物を出しすぎた場合に容器に戻せないという課題があった。
【０００８】
この場合に、注出筒には、上記の特許文献１のようにカップによって押し下げる剛性の高いノズルを使用できない。すなわち、仮に細くて剛性の低いノズル（注出筒）で特許文献１の液体計量キャップを形成すると、繰り返し使用によってノズルに曲がりや破損が生じて使用不能になることや、ノズル交換等の修理が必要になること等のため、実用的でなくコストも高くなってしまうという問題点を有している。
【特許文献１】特公平４−７０９４号公報
【発明の開示】
【発明が解決しようとする課題】
【０００９】
本発明は、前記の問題点に鑑み、液状内容物の少量の計量がし易く、計量時の液垂れ等の生じることがなく、出しすぎた液状内容物を本体容器内に簡単に戻すことができると共に、繰り返し使用しても注出筒に曲がりや破損等が生じ無い、メンテナンス性及び経済性の高い容器用蓋体を提供しようとするものである。
【課題を解決するための手段】
【００１０】
本発明は、液状内容物が充填された本体容器の上部の口元部に取付けられて、下方に凹ませた液溜凹所が形成された中蓋と、該中蓋の液溜凹所の底部から立ち上がって上方に延設され内部に本体容器内部をその外部に連通する中空通路を有する管状のものであって前記本体容器をスクイズした際に液状内容物を中空通路経由によって先端部から吐出する注出筒と、一端が開口した容器状の膨出部が形成され該膨出部の開口側端を前記中蓋側に向けかつ前記注出筒を内装した状態で前記中蓋を上側から覆って前記中蓋に取付ける上蓋とを有してなる容器用蓋体であって、
液状内容物の注出は、上蓋を中蓋から取り外して前記膨出部の開口側端を上に向けた状態で本体容器をスクイズして前記注出筒から上蓋の膨出部内に一定量の液状内容物を注ぎ出し、その上蓋内に注ぎ出された液状内容物を使用に供するようにした容器用蓋体において、
前記中蓋の液溜凹所内の底部の一部であって、前記注出筒の立ち上がり位置とは別位置に、中蓋の本体容器内部側と外部側とを連通する連通孔を形成すると共に、この連通孔を開閉して、該連通孔を開状態にしたときに前記液溜凹所内に溜まった液状内容物を本体容器内に戻すための弁体を設け、
上蓋の中蓋への取付け側端には、上蓋を中蓋に取付けて覆った状態としたときに、前記弁体を開状態に作動させる突出部を設け、
弁体は中蓋の底部下面の本体容器内部側に前記連通孔を密閉可能に上側に向けて弾性体によって付勢されて設けられていると共に、弁体には前記連通孔を通して底部上面側に延在し前記突出部が当接するための押圧部が形成されたことを特徴と容器用蓋体である。
【００１１】
本発明においては、弁体は弾性体の付勢によって連通孔に下方から開閉可能に密着されており、
前記上蓋の膨出部は、スクイズ時に注出筒から吐出された液状内容物を受けて計量可能に形成され、
前記上蓋の突出部は、前記膨出部の周縁が環状に突出し、上蓋を中蓋に取付けたときに該中蓋の液溜凹所内の底部にまで至り前記弁体を押圧して開状態に作動可能に形成されていることが好適である。
【００１２】
本発明においては、注出筒は、中蓋底部の軸中央部から立ち上がって上方に延びて設けられており、中蓋底部には、その注出筒を取り囲むように注出筒側面と中蓋内壁面との間の位置に本体容器内部側と外部とを連通する連通孔が形成されていることが好適である。
【００１３】
本発明においては、中蓋には、底部下方には前記注出筒内の中空通路に連通する筒状部が本体容器内部の底部方向に突出形成されており、弁体はその筒状部基部の外周に設けた弾性体によって、前記連通孔を密閉可能に上側に向けて弾発されていることが好適である。
【００１４】
本発明においては、弁体が環状に形成され、筒状部の外周部に該弁体の同心円状に環状取付け部が設けられ、弁体及び環状取付け部間に弁体を上方に向けて付勢する弾性体が設けられていることが好適である。
【発明の効果】
【００１５】
本発明の請求項１〜５記載の容器用蓋体によれば、前記中蓋の液溜凹所内の底部の一部であって、前記注出筒の立ち上がり位置とは別位置に、中蓋の本体容器内部側と外部側とを連通する連通孔を形成すると共に、この連通孔を開閉して、該連通孔を開状態にしたときに前記液溜凹所内に溜まった液状内容物を本体容器内に戻すための弁体を設け、上蓋の中蓋への取付け側端には、上蓋を中蓋に取付けて覆った状態としたときに、前記弁体を開状態に作動させる突出部を設けたので、液溜凹所内に溜まった残留液を、上蓋を中蓋に取付けることによって突出部によって弁体を作動させて連通孔を開状態にするという簡単な操作で、残留液を本体容器内に戻すことができる。
【００１６】
したがって、液状内容物の少量の計量がし易く、計量時の液垂れ等が生じることがなく、出しすぎた液状内容物を本体容器内に簡単に戻すことができる。
【００１７】
また、上蓋で中蓋を覆ったときに上蓋の突出部によって、注出筒の立ち上がり位置とは別位置の弁体を開状態に作動させるので、注出筒を押圧すること必要がなく、注出筒を剛性が低い細径のものにしても確実かつ容易に前記弁体を開状態に作動させることができる。
【００１８】
したがって、繰り返し使用しても注出筒に曲がりや破損等が生じ無い、メンテナンス性及び経済性が高い容器用蓋体を提供できる。
また、弁体を中蓋の底部下面の本体容器内部側に前記連通孔を密閉可能に上側に向けて弾性体によって付勢して設けると共に、弁体に前記連通孔を通して底部上面側に延在し前記突出部が当接するための押圧部を形成するので、連通孔と弁体に押圧部と弾性体の構造で連通孔を開閉できるため、簡単に構成にできる。
【００１９】
なお、本発明においては、弁体は弾性体の付勢によって連通孔に下方から開閉可能に密着されており、前記上蓋の膨出部は、スクイズ時に注出筒から吐出された液状内容物を受けて計量可能に形成され、前記上蓋の突出部は、前記膨出部の周縁が環状に突出し、上蓋を中蓋に取付けたときに該中蓋の液溜凹所内の底部にまで至り前記弁体を押圧して開状態に作動可能に形成することができる。
【００２０】
また、本発明においては、中蓋底部に、注出筒を取り囲むように注出筒側面と中蓋内壁面との間の位置に本体容器内部側と外部とを連通する連通孔を形成できる。
【００２１】
また、中蓋には、底部下方には前記注出筒内の中空通路に連通する筒状部が本体容器内部の底部方向に突出形成されており、弁体はその筒状部基部の外周に設けた弾性体によって、前記連通孔を密閉可能に上側に向けて弾発することができる。
【００２２】
また、弁体が環状に形成され、筒状部の外周部に該弁体の同心円状に環状取付け部が設けられ、弁体及び環状取付け部間に弁体を上方に向けて付勢する弾性体が設けられている構造にできるので、簡単な構成で弁体を開閉する機構を形成できる。
【発明を実施するための最良の形態】
【００２３】
以下、本発明の実施の形態を添付図面を参照して説明する。
【００２４】
図１〜図４は本発明の実施形態に係る容器用蓋体の説明図である。図１は本体容器とそれに設けた容器用蓋体の詳細断面図、図２（ａ）、（ｂ）は、弁体、弾性体、および環状取付け部の構成説明図、作動図、図３は容器用蓋体の注出説明図、図４（ａ）、（ｂ）は容器用蓋体の上蓋を中蓋に取付ける前、取付けた後の説明図である。
【００２５】
図１に示すように、実施形態に係る容器用蓋体は、中蓋１０と、注出筒１２と、上蓋１４とを有しており、注出筒１２の設けられた中蓋１０が、本体容器１６の口元部１６ａに取付けられて、上蓋１４で着脱自在に覆われる構造になっている。
【００２６】
〔本体容器１６〕
本体容器１６は、側壁部１６ｂで囲まれた中空部内が液状内容物の収容部であって、上部肩部から上方に先細の口元部１６ａが、ポリエチレン（ＰＥ）やポリプロピレン（ＰＰ）、ポリエチレンテレフタレート(ＰＥＴ)、或いはエチレンビニルアルコール（ＥＶＯＨ）とポリエチレン等との多層構造等で樹脂成形されたものであって、使用者が本体容器１６の側壁部１６ｂを掴んで一定以上の力を加えることによって側壁部１６ｂが弾性的に凹み（内容積減少によって）内圧の上昇から液状内容物を注出筒１２から押し出して注出できる（スクイズできる）弾性構造になっている。
つまり、本体容器側壁部１６ｂは、不使用時等、側壁部１６ｂに押圧力を加えないときまたは持つ程度の少しの力しか加えないときには弾性変形しないと共に、一定以上の力を加えることによって容易に弾性変形可能に、材質、厚さや形状等の構造を適切に設定できる。また、本体容器１６はその上方に口元部１６ａが先細に形成されており、口元部１６ａ外周に雄ネジ山１６ｃが形成されている。本体容器口元部１６ａは、このように中蓋１０が螺合して（螺合部１０ｂ）固定するので、側壁部１６ｂと同材質または異なる材質のものを使用できる。
【００２７】
〔中蓋１０〕
中蓋１０は、液状内容物が充填された本体容器１６の上部の口元部１６ａに取付けられて、口元部１６ａ内に嵌入する部分に下方に凹む液溜凹所１８が形成されている。
【００２８】
中蓋１０はＰＥ、ＰＰ等、本体容器１６より剛性を高くする等して形成できる。
【００２９】
また、中蓋１０は、下部が上部よりも縮径した概略円筒形状を呈し、その下端部が閉鎖されてその底部内に液溜凹所１８になっている。そして、中蓋１０の中央部から下部にかけて外周部に同心状に、本体容器１６の口元部１６ａに被せたときに外側から袋状に覆う取付け用壁部１０ａが形成され、この取付け用壁部１０ａの内壁には雌ネジ山の形成された螺合部１０ｂが設けられる。そして、前記中蓋１０は、本体容器１６の口元部１６ａに被せ、該口元部１６ａ外周の雄ネジ山１６ｃに前記螺合部１０ｂの雌ネジ山をねじ込み（螺合）させて、口元部１６ａに固定するようになっている。
【００３０】
なお、中蓋１０の先端部には外周面の上端部を取り囲むように上蓋１４のネジ嵌合（螺合、螺着ともいう）用の雄ネジ山１０ｃが径方向外側に向けて突出して形成されている。また、中蓋１０において、取付け用壁部１０ａと液溜凹所１８の間に位置して口元部１６ａの内側に嵌入する環状突起１０ｄが形成される
【００３１】
〔注出筒１２〕
また、注出筒１２は、前記中蓋１０の液溜凹所１８の底部から立ち上がって上方に延設され本体容器１６内部をその外部に連通する中空通路１２ａを有する管状のものであって前記本体容器１６をスクイズした際に液状内容物を中空通路１２ａ経由によって先端部から吐出するものである。実施形態では、注出筒１２は、中蓋１０に一体成形で細径に中蓋１０上端よりも上方に延び、その上端部１２ｂで左右一側に斜めに曲げて形成している。中蓋１０上端よりも上方に延びる長さは上蓋１４を外した状態で計量時に邪魔にならない長さに形成されている。
【００３２】
〔上蓋１４〕
上蓋１４は、一端が開口した容器状の膨出部１４ａが形成され該膨出部１４ａの開口側端の筒状周縁部を構成する突出部２０を前記中蓋１０側に向けかつ前記注出筒１２を内装した状態で前記中蓋１０を上側から覆って前記中蓋１０に取付けるものである。
【００３３】
なお、上蓋１４には、中蓋１０への取付け構造として、膨出部１４ａの軸方向中央部から径方向外側に立ち上がり軸方向後側に曲がって延びる構成の、中蓋１０を覆う覆い部１４ｂが膨出部１４ａ後部の外周面を取り囲むように形成される。その覆い部１４ｂの内周面に中蓋１０先端部の嵌合用雄ネジ山１０ｃにネジ嵌合（螺合）するための雌ネジ山１４ｃが周方向に沿って形成されると共に、覆い部１４ｂの内側位置に、中蓋１０先端部の内周面に当接する環状突起部１４ｄが突出形成されている。
このように中蓋１０の嵌合用雄ネジ山１０ｃにネジ嵌合（螺合）するための雌ネジ山１４ｃを上蓋１４に形成することによって、使用者は上蓋１４を中蓋１０にネジ込みによって嵌合でき、ネジ込み力の加え方によって嵌合力を調整可能に緊密に嵌合することができる。したがって、不使用時等、中蓋１０に上蓋１４を装着した時にそれらの間に隙間が生じるのを防止できるので、本体容器１６を倒す等しても液漏れが生じることを確実に防止できる。
【００３４】
上記容器用蓋体各部の構造をさらに詳しく説明する。
【００３５】
図１に示すように、前記容器用蓋体において、前記中蓋１０には、その液溜凹所１８内の底部の一部であって、前記注出筒１２の立ち上がり位置とは別位置に、中蓋１０の本体容器１６内部側と外部側とを連通する連通孔２２を形成すると共に、この連通孔２２を開閉するものであって、該連通孔２２を開状態にしたときに前記液溜凹所１８内に溜まった液状内容物を本体容器１６内に戻すための弁体２４を設けている。上蓋１４の膨出部１４ａの中蓋１０への取付け側端には、上蓋１４を中蓋１０に取付けて覆った状態としたときに、前記弁体２４を開状態に作動させる突出部２０を設けている。
【００３６】
弁体２４は弾性体２６の付勢によって連通孔２２に下方から開閉可能に密着されており、前記上蓋１４の膨出部１４ａは、スクイズ時に注出筒１２から吐出された液状内容物を受けて計量可能（内周面に計量目盛りが形成され、膨出部１４ａが透明であれば内部または外面に形成してもよい）に形成されている。また、前記上蓋１４の突出部２０は、前記膨出部１４ａの周縁が環状に突出し、上蓋１４を中蓋１０に取付けたときに該中蓋１０の液溜凹所１８内の底部にまで至り前記弁体２４を押圧して開状態に作動な可能に形成されている。
【００３７】
実施形態では、注出筒１２は、中蓋１０底部の軸中央部から立ち上がって上方に延びて設けられており、中蓋１０底部には、その注出筒１２を取り囲むように注出筒１２側面と中蓋１０内壁面との間の位置に本体容器１６内部側と外部とを連通する連通孔２２が形成されている。
【００３８】
弁体２４は、図１、図２に示すように、円環状の板部材で構成され、中蓋１０の底部下面の本体容器１６内部側に前記連通孔２２を密閉可能に上側に向けて弾性体２６によって付勢されて設けられていると共に、弁体２４には前記連通孔２２を通して底部上面側に延在し前記突出部２０が当接するための押圧部２８が柱状に起立して形成されている。この押圧部２８は、弁体２４上面に等角度間隔で４個など複数箇所に配列形成されている。押圧部２８は、等間隔でなくてもよく、また、奇数偶数を問わず、２列以上を配列してもよい。ただ、３以上設けた方が確実に押し下げ時に平行移動で下降するので好ましい。
【００３９】
また、中蓋１０の底部下方には、前記注出筒１２内の中空通路１２ａに連通する筒状部１２ｃが本体容器１６内部の底部方向に突出形成されている。弁体２４は前記筒状部１２ｃ基部の外周に設けた弾性体２６によって、前記連通孔２２を密閉可能に上側に向けて弾発されている。
【００４０】
具体的には、図２に示すように、弁体２４は、筒状部１２ｃ基部の外周部に該弁体２４の同心円状に環状取付け部３０が設けられ、弁体２４及び環状取付け部３０間に弾性体２６が設けられて、この弾性体２６の弾発力によって、前記弁体２４を上方に向けて付勢するようになっている。弾性体２６は、図２（ａ）に示すように、クランク形状に曲がった幅狭板状体であって、（ｂ）に示すように、軸方向に沿って環状取付け部３０よりも弁体２４が上方に位置して、弁体２４及び環状取付け部３０間を繋ぐブリッジ構造を呈し、環状取付け部３０、弁体２４及び弾性体２６は一体に樹脂成形されている。もちろん、これら環状取付け部３０、弁体２４及び弾性体２６は、別体としてそれぞれを同材質または別材質で形成して組み合わせて構成してもよい。
【００４１】
なお、筒状部１２ｃは抽出筒１２よりもかなり短く形成されており、その筒状部１２ｃ内側にチューブ状管路３２の一端が嵌入して固定されており、このチューブ状管路の他端が本体容器内の内底部近辺に至っている。本体容器１６が側壁部１６ｂ押圧変形されて内圧が高まったときに本体容器１６内の液状内容物を抽出筒１２に向けて送り出すものである。
【００４２】
次に、上記した実施形態に係る容器用蓋体の作用を説明する。
【００４３】
容器用蓋体において液状内容物の注出は、図３に示すように、使用者が一方の手で本体容器１６を掴み、他方の手で上蓋１４を摘んで中蓋１０から取り外す。
【００４４】
そして、前記膨出部１４ａの開口側端を上に向けた状態で本体容器１６を把持する力を強くしてスクイズし、前記注出筒１２から上蓋１４の膨出部１４ａ内に一定量の液状内容物を注ぎ出す。その上蓋１４の膨出部１４ａ内に注ぎ出された液状内容物を洗濯槽内に投入する等の使用に供する。
【００４５】
その後、上蓋１４を中蓋１０に被せる際に、図４（ａ）に示すように、上蓋１４に液状内容物が残留している場合（残留して液状内容物３４）にそれが中蓋１０の液溜凹所１８内に注ぎ入れられることになる。
【００４６】
そして、上蓋１４を押圧して中蓋１０に嵌め込む。その上蓋１４を嵌め込んで取付ける際には、図４（ｂ）に示すように、前記上蓋１４の膨出部１４ａの突出部２０が、該中蓋１０の液溜凹所１８内の底部にまで至り、前記弁体２４の押圧部２８を押圧して弁体２４を下方に移動させることによって連通孔２２が開状態に作動する。これによって、残留した液状内容物３４が連通孔２２を通して、本体容器１６内に流れ込み、回収される。
【００４７】
なお、上蓋１４の覆い部１４ｂ内周面の雌ネジ山１４ｃが中蓋１０先端部のネジ嵌合用の雄ネジ山１０ｃに螺合によって嵌り込んで、上蓋１４が中蓋１０から抜けないように固定される。これにより、使用者が上蓋１４を嵌め込む力を維持しなくても（手を離しても）上蓋１４が固定され、前記突出部２０が弁体２４の押圧部２８を押圧し続けることとなるので、連通孔２２が開状態を維持し、使用者がその後の操作をしなくても残留した液状内容物が本体容器１６内に余すことなく流れ込み、完全に回収されることになる。
【００４８】
尚、本発明の容器用蓋体は、上記した実施の形態に限定されるものではなく、本発明の要旨を逸脱しない範囲内において種々変更を加え得ることは勿論である。
例えば、上記実施形態では、中蓋１０に上蓋１４を取付ける構造には、上記のように雄ネジ山１０と雌ネジ山１４ｃによってネジ嵌合する構造を採用する他、中蓋１０と上蓋１４との互いに対向する面部に嵌まり込み構造を採用することができる。すなわち、それら中蓋１０と上蓋１４の双方にリブ等の凸状部を形成して一方の凸状部が他方の凸状部を乗り越えて互いに緊密に嵌合するようにしたり、または、一方にリブ等の凸状部を他方に溝等の凹状部を形成して、一方の凸状部が他方の凹状部に嵌り込んで緊密に嵌合するようにしたりする等、適宜の嵌め込み構造を適用することができる。
【図面の簡単な説明】
【００４９】
【図１】本体容器とそれに設けた容器用蓋体の詳細断面図である。
【図２】（ａ）、（ｂ）は、弁体、弾性体、および環状取付け部の構成説明図、作動図である。
【図３】容器用蓋体の上蓋への注出説明図である。
【図４】（ａ）、（ｂ）は容器用蓋体の上蓋を中蓋に取付ける前、取付けた後の説明図である。
【符号の説明】
【００５０】
１０  中蓋
１０ａ  取付け用壁部
１０ｂ  螺合部
１０ｃ  ネジ嵌合用の雄ネジ山
１０ｄ  環状突起
１２  注出筒
１２ａ  中空通路
１２ｂ  上端部
１２ｃ  筒状部
１４  上蓋
１４ａ  膨出部
１４ｂ  覆い部
１４ｃ  ネジ嵌合用の雌ネジ山
１４ｄ  環状突起部
１６  本体容器
１６ａ  口元部
１６ｂ  側壁部
１６ｃ  雄ネジ山
１８  液溜凹所
２０  突出部
２２  連通孔
２４  弁体
２６  弾性体
２８  押圧部
３０  環状取付け部
３２  チューブ状管路
３４  残留した液状内容物
【図１】
0005127500.tif 000002
【図２】
0005127500.tif 000003
【図３】
0005127500.tif 000004
【図４】
0005127500.tif 000005